(57)【要約】【課題】建物の外壁面を断熱する外断熱工法による基礎断熱建物において、基礎部の断熱効果を損なうことがなく、建物を白蟻による食害から守ることができる建物の断熱基礎構造を提供すること。【解決手段】布基礎１の立上部１１の屋外側に基礎断熱材２と表面化粧材３を取り付けるあたり、基礎断熱材２と表面化粧材３の下端部を覆うように白蟻遮蔽板３を設け、上端部に断熱材抑え具６を嵌着する。【選択図】        図１
2005023593.tif 000002
【特許請求の範囲】
【請求項１】
建物の布基礎の屋外側に基礎断熱材を取り付けた建物の断熱基礎構造であって、基礎断熱材の下端部を覆うように白蟻遮蔽板を設けたことを特徴とする建物の断熱基礎構造。
【請求項２】
基礎断熱材の屋外側に表面化粧材を設け、この表面化粧材と基礎断熱材の下端部を覆うように白蟻遮蔽板を設けたことを特徴とする請求項１記載の建物の断熱基礎構造。
【請求項３】
建物の布基礎の屋内側に基礎断熱材を取り付けた建物の断熱基礎構造であって、基礎断熱材の下端部を覆うように白蟻遮蔽板を設けたことを特徴とする建物の断熱基礎構造。
【請求項４】
白蟻遮蔽板と布基礎との間を防蟻性シーリング材にてシールしたことを特徴とする請求項１〜３のいずれか１項記載の建物の断熱基礎構造。
【請求項５】
基礎断熱材と布基礎の上端に断熱材抑え具を嵌着したことを特徴とする請求項１〜４のいずれか１項記載の建物の断熱基礎構造。
【発明の詳細な説明】
【０００１】
【発明の属する技術分野】
この発明は、建物の基礎の防蟻構造及びユニット建物に関する。
【０００２】
【従来の技術】
近年の高気密・高断熱建物においては、その建物の外壁面または内壁面を断熱するだけではなく、その建物の基礎も断熱して、気密性・断熱性を向上させた基礎断熱建物が普及してきている。
【０００３】
このような基礎断熱建物は、建物の外壁面を断熱する外断熱工法による基礎断熱建物を例にとれば、布基礎の屋外側に基礎断熱材を取り付け、この基礎断熱材を被覆材で覆って布基礎の外側を断熱した構造となっている。
【０００４】
この基礎の断熱構造においては、プラスチック発泡体からなる基礎断熱材を保護する被覆材の下端は、土に接した状態になっていて、布基礎に接していないので、基礎断熱材の下方部分は被覆材で覆われずに露出していて地中に接した状態になっている。
【０００５】
このため、地中に接した状態になっている基礎断熱材のプラスチック発泡体は、土中や床下の白蟻により食害されることになり、この基礎断熱材が白蟻の侵入経路となっていた。
【０００６】
このような白蟻による食害から建物を守ることができる建物の断熱基礎構造として、建物の布基礎の屋外側に断熱材を介して被覆材を取り付けた建物の断熱基礎構造において、一側縁が前記布基礎に埋設されるとともに、他側縁が基礎断熱材の上端部または基礎断熱材を貫通して中間部を覆って断熱材の屋外表面に配設される白蟻遮蔽板を設け、この白蟻遮蔽板と前記被覆材との間を防蟻テ−プを介在させて密着させることが提案されている（特許文献１参照）。
【０００７】
【特許文献１】
特開平１１−２５６７１５号公報（特許請求の範囲の欄他）
【０００８】
【発明が解決しようとする課題】
ところで、特許文献１に記載されているような建物の断熱基礎構造では、白蟻遮蔽板は、その一側縁が前記布基礎に埋設されるとともに、他側縁が基礎断熱材の上端部または基礎断熱材を貫通して中間部を覆って断熱材の屋外表面に配設されているので、基礎断熱材の下方部分は依然として被覆材で覆われずに露出していて地中に接した状態になっている。
【０００９】
そのため、白蟻遮蔽板より下方の基礎断熱材部分は白蟻に食害されることになり、布基礎の断熱効果が損なわれてしまうという問題があった。
なお、建物の内壁面を断熱する内断熱工法による場合においても、同様の問題が考えられる。
【００１０】
この発明は、上記の問題点を解消し、建物の外壁面を断熱する外断熱工法による基礎断熱建物や、建物の内壁面を断熱する内断熱工法による基礎断熱建物において、基礎部の断熱効果を損なうことがなく、建物を白蟻による食害から守ることができる建物の断熱基礎構造を提供することを目的とする。
【００１１】
【課題を解決するための手段】
請求項１記載の発明の建物の断熱基礎構造は、建物の布基礎の屋外側に基礎断熱材を取り付けた建物の断熱基礎構造であって、基礎断熱材の下端部を覆うように白蟻遮蔽板を設けたことを特徴とする。
【００１２】
請求項２記載の発明の建物の断熱基礎構造は、請求項１記載の建物の断熱基礎構造において、基礎断熱材の屋外側に表面化粧材を設け、この表面化粧材と基礎断熱材の下端部を覆うように白蟻遮蔽板を設けたことを特徴とする。
【００１３】
請求項３記載の発明の建物の断熱基礎構造は、建物の布基礎の屋内側に基礎断熱材を取り付けた建物の断熱基礎構造であって、基礎断熱材の下端部を覆うように白蟻遮蔽板を設けたことを特徴とする。
【００１４】
請求項４記載の発明の建物の断熱基礎構造は、請求項１〜３のいずれか１項記載の建物の断熱基礎構造において、白蟻遮蔽板と布基礎との間を防蟻性シーリング材にてシールしたことを特徴とする。
【００１５】
請求項５記載の発明の建物の断熱基礎構造は、請求項１〜４のいずれか１項記載の建物の断熱基礎構造において、基礎断熱材と布基礎の上端に断熱材抑え具を嵌着したことを特徴とする。
【００１６】
これらの発明において、基礎断熱材としては、硬質ウレタン発泡体、ポリスチレン発泡体、ポリオレフィン発泡体等のプラスチック発泡体、グラスウール、ロックウール、セルローズファイバー等の繊維質断熱材等の板状体を用いることができる。
【００１７】
これらの発明において、白蟻遮蔽板は、白蟻が食い破ることができない素材の、ステンレス板、銅板、アルミニウム板、塗装鉄板、合金板等の金属板、ＡＢＳ板、ポリカーボネート板、ポリオレフィン板、ＦＲＰ板等のプラスチック板、セラミック板等の無機材料板等からなる。
そして、白蟻遮蔽板は、基礎断熱材の下端部を覆うような形状に屈曲成形されていることが好ましい。
【００１８】
請求項２記載の発明において、表面化粧材は、モルタル、コンクリート、セラミック、ガラス、金属等の白蟻が食い破ることができない板状体からなるものをいう。
【００１９】
請求項４記載の発明において、防蟻性シーリング材は、合成樹脂または合成ゴムのペーストに防蟻剤を混和した防蟻効果のあるシーリング材をいう。
【００２０】
また、請求項５記載の発明において、断熱材抑え具は、白蟻が食い破ることができない素材の、ステンレス板、銅板、アルミニウム板、塗装鉄板、合金板等の金属板、ＡＢＳ板、ポリカーボネート板、ポリオレフィン板、ＦＲＰ板等のプラスチック板、セラミック板等の無機材料板等を、基礎断熱材と布基礎の上端を嵌着できる形状に屈曲成形されたものをいう。
そして、屋外側に水切り片が延設されていることが好ましい。
【００２１】
（作用）
請求項１記載の発明の建物の断熱基礎構造にあっては、布基礎の屋外側に取り付けた基礎断熱材の下端部を覆うように白蟻遮蔽板を設けたので、白蟻が基礎断熱材の下端部を食害することができず、布基礎の断熱効果が持続し、外断熱工法による基礎断熱建物内への白蟻の侵入を防ぐことができる。
【００２２】
請求項２記載の発明の建物の断熱基礎構造にあっては、布基礎の屋外側に基礎断熱材を取り付け、さらに基礎断熱材の屋外側に表面化粧材を設け、この表面化粧材と基礎断熱材の下端部を覆うように白蟻遮蔽板を設けたので、基礎断熱材が表面化粧材と白蟻遮蔽板によって白蟻から保護され、白蟻が基礎断熱材を食害することができず、布基礎の断熱効果が持続し、外断熱工法による基礎断熱建物内への白蟻の侵入を防ぐことができる。
【００２３】
請求項３記載の発明の建物の断熱基礎構造は、布基礎の屋内側に取り付けた基礎断熱材の下端部を覆うように白蟻遮蔽板を設けたので、白蟻が基礎断熱材の下端部を食害することができず、布基礎の断熱効果が持続し、内断熱工法による基礎断熱建物内への白蟻の侵入を防ぐことができる。
【００２４】
請求項４記載の発明の建物の断熱基礎構造は、請求項１〜３のいずれか１項記載の建物の断熱基礎構造において、白蟻遮蔽板と布基礎との間を防蟻性シーリング材にてシールしたので、白蟻が基礎断熱材を食害することをより一層防ぐことができ、布基礎の断熱効果が持続し、基礎断熱建物内への白蟻の侵入をより確実に防ぐことができる。
【００２５】
請求項５記載の発明の建物の断熱基礎構造は、請求項１〜４のいずれか１項記載の建物の断熱基礎構造において、基礎断熱材と布基礎の上端に断熱材抑え具を嵌着したので、この断熱材抑え具と基礎断熱材の下端部にある白蟻遮蔽板によって、基礎断熱建物内への白蟻の侵入を防ぐことができる。
【００２６】
【発明の実施の形態】
この発明の実施の形態を図１の実施例に基づいて説明する。
【００２７】
図１は、建物の断熱基礎構造の一例を示す縦断面図であり、１は布基礎、２は基礎断熱材、３は表面化粧材、４は白蟻遮蔽板、５は防蟻性シーリング材、６は断熱材抑え具である。
【００２８】
布基礎１は、コンクリート製の立上部１１とこの立上部１１と一体に打設された基礎ベース部１２とからなる。立上部１１は鋼製であってもよく、構築される建物の外壁部の直下部に位置される。
この基礎ベース部１２は地中に埋設されるが、内部には必要に応じてベース筋とベース補強筋等が埋設される。
【００２９】
立上部１１の屋外側の付け根部に白蟻遮蔽板４が装着され、立上部１１の屋外側の側面に、基礎断熱材２と表面化粧材３とがこの順に取り付けられている。
白蟻遮蔽板４の立上部１１の屋外側の付け根部への装着は、防蟻性シーリング材５を介して基礎ベース部１２に接着されることによってなされている。
【００３０】
基礎断熱材２としてポリスチレン発泡板が用いられているが、その他の硬質ウレタン発泡体、ポリオレフィン発泡体等のプラスチック発泡体、グラスウール、ロックウール、セルローズファイバー等の繊維質断熱材等の板状体を用いることができる。
【００３１】
また、表面化粧材３としてコンクリート板が用いられているが、その他の硬質ウレタン発泡体、ポリオレフィン発泡体等のプラスチック発泡体、モルタル、セラミック、ガラス、金属等の白蟻が食い破ることができない板状体であってもよい。
【００３２】
白蟻遮蔽板４は、白蟻が食い破ることができないステンレス板を屈曲成形した基礎断熱材２と表面化粧材３の下端部を覆うことができる屈曲成形部４１と、立上部１１の屋外側の側面に沿う部分４２とからなっている。
【００３３】
白蟻遮蔽板４としては、ステンレス板の他、白蟻が食い破ることができない素材の、銅板、アルミニウム板、塗装鉄板、合金板等の金属板、ＡＢＳ板、ポリカーボネート板、ポリオレフィン板、ＦＲＰ板等のプラスチック板、セラミック板等の無機材料板等から製せられてもよい。
【００３４】
防蟻性シーリング材５は、合成樹脂または合成ゴムのペーストに防蟻剤を混和した防蟻性を有するシーリング材である。
【００３５】
布基礎１の立上部１１の上端と、基礎断熱材２及び表面化粧材３の上端には、断熱材抑え具６が嵌着されている。
断熱材抑え具６は、白蟻が食い破ることができないステンレス板６１の両側縁部を屈曲成形した垂下部６２、６２と、さらに一方の屋外側垂下部６２に水切り片６３を設けたものとからなっている。
【００３６】
断熱材抑え具６は、ステンレス板製以外の、白蟻が食い破ることができない素材である、銅板、アルミニウム板、塗装鉄板、合金板等の金属板、ＡＢＳ板、ポリカーボネート板、ポリオレフィン板、ＦＲＰ板等のプラスチック板、セラミック板等の無機材料板等から製せられてもよい。
【００３７】
この断熱基礎の上には、図２に示すように、建物Ａが構築される。
布基礎１や基礎断熱材２等に嵌着された断熱材抑え具６の上に土台ａを取り付け、柱ｂ等を立設し、屋外側に断熱材ｃ等を取り付け、外装材ｄで外壁を化粧して外断熱工法を施し、屋内側に内装材（図示省略）を取り付け、土台ａの間に大引けｅを設け、この大引けｅに根太ｆを介して床板ｇが取り付けられて建物Ａが構築されている。
なお、建物としては、工場で製造された箱型の建物ユニットの複数個を、この断熱基礎の上に据え付けるものであってもよい。
【００３８】
この実施の形態の作用について説明する。
【００３９】
布基礎１の立上部１１の屋外側の付け根部に、白蟻遮蔽板４が防蟻性シーリング材５を介して装着され、立上部１１の屋外側の側面に、基礎断熱材２と表面化粧材３とがこの順に取り付けられているので、基礎断熱材２の全体が表面化粧材３と白蟻遮蔽板４によって白蟻から保護され、白蟻が基礎断熱材２を食害することができない。
【００４０】
さらに、白蟻遮蔽板１と布基礎１のベース部１２との間を防蟻性シーリング材５を介在させたので、白蟻が基礎断熱材を食害することをより一層防ぐことができる。
また、立上部１１の上端と、基礎断熱材２及び表面化粧材３の上端には、断熱材抑え具６が嵌着され、建物Ａと布基礎１との間に断熱材抑え具６が介在するので、建物内への白蟻の侵入をより確実に防ぐことができる。
【００４１】
したがって、この実施の形態の建物の断熱基礎構造によれば、布基礎の断熱効果が持続し、外断熱工法による基礎断熱建物内への白蟻の侵入を確実に防ぐことができる。
【００４２】
次に、この発明の他の実施の形態を図３の実施例に基づいて説明する。
【００４３】
図３は、建物の断熱基礎構造の一例を示す縦断面図であり、１０は布基礎、２０は基礎断熱材、４０は白蟻遮蔽板、５０は防蟻性シーリング材、６０は断熱材抑え具である。
【００４４】
布基礎１０は、コンクリート製の立上部１０１とこの立上部１０１と一体に打設されたベタ基礎状のベース部１０２とからなる。
【００４５】
立上部１０１の屋内側の付け根部に白蟻遮蔽板４０が装着され、立上部１１の屋内側の側面に、基礎断熱材２０が取り付けられている。
白蟻遮蔽板４０の立上部１０１の屋内側の付け根部への装着は、図１と同様に、防蟻性シーリング材（図示省略）を介してベース部１０２に接着されるている。
【００４６】
布基礎１０の立上部１０１の上端と、基礎断熱材２０の上端には、断熱材抑え具６０が嵌着されている。６０１は基板部、６０２は垂下部、６０３は水切り片である。
【００４７】
基礎断熱材２０、白蟻遮蔽板４０、断熱材抑え具６０等については、図１に示した基礎断熱材２、白蟻遮蔽板４、断熱材抑え具６等と特に変わらないので説明を省略する。
【００４８】
この断熱基礎の上には、建物が構築されるが、構築される建物は、内断熱工法による建物であることによる相違点があるが、その他は図２に示すものと特に相違しないので、説明を省略する。
【００４９】
この実施の形態の作用について説明する。
【００５０】
布基礎１０の立上部１０１の屋外側の付け根部に、白蟻遮蔽板４０が防蟻性シーリング材（図示省略）を介して装着され、立上部１０１の屋内側の側面に、基礎断熱材２０が取り付けられているので、基礎断熱材２０が白蟻遮蔽板４０によって白蟻から保護され、白蟻が基礎断熱材２０を食害することができない。
【００５１】
さらに、立上部１０１の上端と基礎断熱材２０の上端には、断熱材抑え具６０が嵌着され、建物と布基礎１０との間に断熱材抑え具６０が介在することになるので、建物内への白蟻の侵入をより確実に防ぐことができる。
【００５２】
したがって、この実施の形態の建物の断熱基礎構造によれば、布基礎の断熱効果が持続し、内断熱工法による基礎断熱建物内への白蟻の侵入を確実に防ぐことができる。
【００５３】
【発明の効果】
請求項１記載の発明の建物の断熱基礎構造にあっては、白蟻遮蔽板によって白蟻が基礎断熱材の下端部を食害することができず、布基礎の断熱効果が持続し、外断熱工法による基礎断熱建物内への白蟻の侵入を防ぐことができる。
【００５４】
請求項２記載の発明の建物の断熱基礎構造にあっては、基礎断熱材が表面化粧材と白蟻遮蔽板によって白蟻から保護され、白蟻が基礎断熱材を食害することができず、布基礎の断熱効果が持続し、外断熱工法による基礎断熱建物内への白蟻の侵入を防ぐことができる。
【００５５】
請求項３記載の発明の建物の断熱基礎構造は、白蟻遮蔽板によって白蟻が基礎断熱材の下端部を食害することができず、布基礎の断熱効果が持続し、内断熱工法による基礎断熱建物内への白蟻の侵入を防ぐことができる。
【００５６】
請求項４記載の発明の建物の断熱基礎構造は、白蟻遮蔽板と布基礎との間を防蟻性シーリング材にてシールしたので、白蟻が基礎断熱材を食害することをより一層防ぐことができ、布基礎の断熱効果が持続し、基礎断熱建物内への白蟻の侵入をより確実に防ぐことができる。
【００５７】
請求項５記載の発明の建物の断熱基礎構造は、基礎断熱材と布基礎の上端に嵌着した断熱材抑え具と基礎断熱材の下端部の白蟻遮蔽板によって、基礎断熱建物内への白蟻の侵入を防ぐことができる。
【図面の簡単な説明】
【図１】この発明の建物の断熱基礎構造の実施の形態を示す縦断面図である。
【図２】図１の断熱基礎構造の上に建物を構築した状態を示す縦断面図である。
【図３】この発明の建物の断熱基礎構造の他の実施の形態を示す縦断面図である。
【符号の説明】
１、１０      布基礎
１１、１０１  立上部
２、２０      基礎断熱材
３            表面化粧材
４、４０      白蟻遮蔽板
５            防蟻性シーリング材
６、６０      断熱材抑え具
【図１】
2005023593.tif 000003
【図２】
2005023593.tif 000004
【図３】
2005023593.tif 000005